(57)【要約】【課題】プロモーションイベントでの広告掲示にインパクトがあり、広告掲示や宣伝に係る機器のパーツをコンパクトに纏めて運搬、設営、撤去でき、イベント会場では運搬資材を有効に活用できるようにする。【解決手段】この広告掲示装置のポールスタンドは、ポール支持部４２を突設したベースプレート４３と、このベースプレート４３の下面の左右の縁に、蝶番４４を介して下方（下側）に開閉自在に設けられた第１及び第２開閉板４５、４６と、これら第１及び第２開閉板４５、４６の上面の側を覆うように設けられたカバー本体５０とを備える。【選択図】図８
2019164237.tif 000002
【特許請求の範囲】
【請求項１】
ポール支持部を突設した第１の面を有する基板と、
前記基板の左右の縁に、前記ポール支持部が設けられた前記第１の面と逆の第２の面の側に開閉自在に設けられた第１及び第２開閉板と、
前記第１の面の側で前記第１及び第２開閉板を覆うように前記第１及び第２開閉板に取り付けられるカバー本体を有し、前記第１及び第２開閉板を閉じた状態から開いた状態に変位させことで、前記第１及び第２開閉板と前記カバー本体との間に重石の収容スペースと、前記重石を前記収容スペースに挿入および取出すための開口とが形成されるカバーと
を備えることを特徴とするポールスタンド。
【請求項２】
請求項１記載のポールスタンドと、
前記ポールスタンドに支持される湾曲した形状の枠体と、
前記枠体の両端を結ぶ軸線を中心に回動自在に支持される幕状部材と
を具備することを特徴とする広告掲示装置。
【請求項３】
前記幕状部材は、
一部が前記枠体の湾曲に沿った外形状をなす幕であり、
前記幕の周縁に沿って設けた袋部と、
複数のフレーム材を連結し屈曲させて前記袋部に介挿したのぼりフレームと、
前記幕の張り具合を調整して前記のぼりフレームを係止するジョイントと
を具備することを特徴とする請求項２記載の広告掲示装置。
【請求項４】
前面に第１開口と上部に第２開口とを有し、折り畳んだ状態の請求項１記載のポールスタンドと、分解した請求項２記載の広告掲示装置のパーツと、畳んだバックウォールの幕とこの幕の骨組みを分解したパーツとを収容する筐体と、
前記筐体の前記第１開口を開閉可能に設けられた第１扉と、
前記第２開口を開閉可能に設けられた第２扉と
を具備することを特徴とするコンテナ装置。
【発明の詳細な説明】
【技術分野】
【０００１】
本発明は、例えば宣伝広告の掲示に用いられる広告掲示装置、ポールスタンド、コンテナ装置に関する。
【背景技術】
【０００２】
のぼり旗などの広告掲示装置は、商品の売り出しなどのイベントの際に店舗の店頭に設置されるが、広告掲示の機能以外に、イベント会場への搬出性の向上や設営時の作業性向上が望まれている。
【０００３】
従来ののぼり旗は、逆Ｌ形状に組んだアームにのぼり旗を掛止し、イベント会場に設置し支持台にアームを挿してイベントの宣伝などに利用するものである（例えば引用文献１参照）。
【０００４】
また、のぼり旗は、イベントがないときは、通常、会場とは別の場所の倉庫などにパーツにばらした状態で複数の段ボール箱などに分けてしまっておき、イベントが行われる前日などに倉庫から複数の段ボール箱のパーツを持ち出し、イベント会場へ搬入し、分散した箱の中から、ばらのパーツを取り出して組み立て（設営し）、イベント終了後に各パーツに分解して、会場から搬出し、倉庫に戻すという手順で、搬入、設営、搬出作業が行われる。
【先行技術文献】
【特許文献】
【０００５】
【特許文献１】特開２００２−２７８４８９号公報
【発明の概要】
【発明が解決しようとする課題】
【０００６】
また、従来ののぼり旗は、外観、つまり見た目が古く、例えばカーディーラーの新車発表会や新製品の発表イベントなどのプロモーションイベントに用いる場合には、インパクトが足りない。
【０００７】
通常、のぼり旗は、搬入、搬出する際に、ばらの旗やアーム、支持台などのパーツを段ボール箱などの搬送資材で纏めて移動するが、設営後、イベント開催中は、段ボール箱などの運搬資材の置き場所がないところも多く、運搬資材が邪魔になる。
【０００８】
また、イベント会場では、他にカタログなどを配布するための受付カウンタやバックスペースを隠したりバナー広告を掲示するための横断幕（バックウォール）などのパーツも必要であり、これらのパーツを別々に運搬したのではコストがかかるとともに、別輸送で、各パーツが時間差で届いた場合に設営作業に遅延が生じるという問題がある。
【０００９】
本発明はこのような課題を解決するためになされたもので、プロモーションイベントでの広告掲示にインパクトがあり、広告掲示や宣伝に係る機器のパーツをコンパクトに纏めて運搬、設営、撤去でき、イベント会場では運搬資材を有効に活用することができる広告掲示装置、ポールスタンド、コンテナ装置を提供することにある。
【課題を解決するための手段】
【００１０】
本発明のポールスタンドは、ポール支持部を突設した第１の面を有する基板と、前記基板の左右の縁に、前記ポール支持部が設けられた前記第１の面と逆の第２の面の側に開閉自在に設けられた第１及び第２開閉板と、前記第１の面の側で前記第１及び第２開閉板を覆うように前記第１及び第２開閉板に取り付けられるカバー本体を有し、前記第１及び第２開閉板を閉じた状態から開いた状態に変位させことで、前記第１及び第２開閉板と前記カバー本体との間に重石の収容スペースと、前記重石を前記収容スペースに挿入および取出すための開口とが形成されるカバーとを具備することを特徴とする。
【００１１】
本発明の広告掲示装置は、前記ポールスタンドと、前記ポールスタンドに支持される湾曲した形状の枠体と、前記枠体の両端を結ぶ軸線を中心に回動自在に支持される幕状部材とを具備することを特徴とする。
【００１２】
本発明のコンテナ装置は、前面に第１開口と上部に第２開口とを有し、折り畳んだ状態の前記ポールスタンドと、分解した前記広告掲示装置のパーツと、畳んだバックウォールの幕とこの幕の骨組みを分解したパーツとを収容する筐体と、前記筐体の前記第１開口を開閉可能に設けられた第１扉と、前記第２開口を開閉可能に設けられた第２扉とを具備することを特徴とする。
【発明の効果】
【００１３】
本発明によれば、プロモーションイベントでの広告掲示にインパクトがあり、広告掲示や宣伝に係る機器のパーツをコンパクトに纏めて運搬、設営、撤去でき、イベント会場では運搬資材を有効に活用することができる。
【図面の簡単な説明】
【００１４】
【図１】一つの実施の形態のプロモーションシステムの構成を示す図である。
【図２】プロモーションシステムの収納カウンタの構成を示す図である。
【図３】図２の収納カウンタの会場での使用状態を示す図である。
【図４】のぼり旗装置の第１実施形態を示す図である。
【図５】ジョイント構造を示す図である。
【図６】ポールスタンドの底面を構成する開閉板の平面図である。
【図７】ポールスタンドを折り畳んだ状態を示す図である。
【図８】ポールスタンドを開いた状態を示す図である。
【図９】カバー本体の平面図である。
【図１０】ポールカバーの平面図である。
【図１１】ポールスタンドを使用する状態を示す図である。
【図１２】バックウォールを組み立てた状態を示す背面図である。
【図１３】のぼり旗装置の幕状部材の第２実施形態を示す図である。
【図１４】のぼり旗装置の幕状部材の第３実施形態を示す図である。
【発明を実施するための形態】
【００１５】
以下、図面を参照して本発明の一つの実施の形態を詳細に説明する。図１は本発明の一つの実施の形態のプロモーションシステムの構成を示す図である。
【００１６】
図１に示すように、この実施の形態のプロモーションシステムは、ポールスタンド４０を含む広告掲示装置としてののぼり旗装置３０と、コンテナ装置としての収納カウンタ１０と、背幕装置としてバックウォール２０とを備える。
【００１７】
収納カウンタ１０には、のぼり旗装置３０およびバックウォール２０の各パーツと、２枚の棚板１８が分解した状態で収納される。
【００１８】
バックウォール２０を構成するパーツは、メインパイプ２１、上部バー２２、下部バー２３、ウェイトベース２４などにより構成されるバナースタンド（広告幕２５を支持する骨組み）と、このバナースタンドに張られる広告幕２５（横断幕）などであり、この例では３つの広告幕２５を横に連結して１つのバナー広告の面としている。
【００１９】
図１および図１２に示すように、バックウォール２０のウェイトベース２４は、床面に配置されて、メインパイプ２１を介して広告幕２５を支持する。メインパイプ２１は、ウェイトベース２４の孔に挿着されて垂直方向（縦方向）の支柱として機能する。
【００２０】
上部バー２２および下部バー２３は、それぞれスライド自在に設けられた２つのフレームにより、フレームを伸ばした状態では、フレーム長の１倍〜２倍弱の長さに調整可能である。上部バー２２および下部バー２３は、レール状のものであり、水平にした状態で所望の位置にメインパイプ２１の上端の係止部を嵌合して支持および固定し広告幕２５の骨組みとなる。
【００２１】
広告幕２５は、１枚が例えば横幅８９５ｍｍ、縦幅（高さ）２２９５ｍｍ程度の長方形のターポリン幕である。この広告幕２５は、上下の辺部が上部バー２２と下部バー２３に支持されて広告面を構成する。
【００２２】
収納カウンタ１０は、例えば幅１０００ｍｍ、奥行き４５０ｍｍ、高さ９００ｍｍ程度の樹脂製の筐体１１を有する。筐体１１は、前板１１ａと、これに対向する背板１１ｂと、前板１１ａを加工して前面側に開口した第１開口としての前部開口１０ａと、上部に開口した第２開口としての上部開口１０ｂと、前板１１ａと背板１１ｂの内側面の同じ高さの位置に設けられた棚板支持部としての横板１７と、前部開口１０ａを開閉可能に設けられた第１扉として扉１３と、上部開口１０ｂを開閉可能に設けられた第２扉としての扉１５と、底部に設けられたキャスタ１２とを有する。
【００２３】
図２に示すように、扉１３は、前板１１ａの前部開口１０ａの下側に位置する辺を支点に矢印Ａ方向に回動して前部開口１０ａを開閉する。扉１５は、背板１１ｂの上辺を支点に矢印Ｂ方向に回動して上部開口１０ｂを開閉する。扉１３、１５には、それぞれ取手１４、１６の部分で鍵が掛けられる。
【００２４】
前板１１ａに設けられる前部開口１０ａは、横板１７に、前面から背面へ渡した棚板１８の上に置かれるものが出し入れ可能な範囲に開口されている。
【００２５】
この収納カウンタ１０（筐体１１）には、折り畳んだポールスタンド４０と、のぼり旗装置３０の枠体３１およびのぼりフレーム３２などを分解したフレームのパーツと、バックウォール２０（図１２参照）を構成するパーツ（巻いて畳んだ広告幕２５やメインパイプ２１、上部バー２２、下部バー２３、ウェイトベース２４）、棚板１８などが収容される。
【００２６】
筐体１１の大きさは、内部に収容するパーツの量（のぼり旗装置３０の数やバックウォール２０の広告幕２５の数など）によって、いくつかのサイズを用意するものとする。
【００２７】
バックウォール２０のパーツのうち広告幕２５以外のパーツ（メインパイプ２１、上部バー２２、下部バー２３、ウェイトベース２４など）は、縦長の持ち手付きのバック（チャックで開閉可能）に収納した後、そのバックごと筐体１１に収納される。
【００２８】
図１、図６乃至図９に示すように、ポールスタンド４０は、ポール支持部４２を突設した第１の面（上面）と第２の面（下面）を有する基板としてのベースプレート４３と、このベースプレート４３の下面の左右の縁に、蝶番４４を介して矢印Ｃ１，Ｃ２の方向（図７参照）（下方、下側）に開閉自在に設けられた第１及び第２開閉板４５、４６と、これら第１及び第２開閉板４５、４６の片面（ベースプレート４３の上面の側）を覆うように設けられたカバー４１とを備える。
【００２９】
第１及び第２開閉板４５、４６は、例えばステンレス板などの金属板を加工したものである。第１及び第２開閉板４５、４６の底面には、複数のゴム座４７が固定されており、開閉板４５、４６が直接床面に接触しないようにされている。
【００３０】
カバー４１は、図９に示すような展開図の形状であり、カバー本体５０（図９参照）と上部のポールカバー５５（図１０参照）とを組み合わせて構成される。カバー４１（カバー本体５０）は、第１及び第２開閉板４５、４６の縁にマジックテープ（登録商標）で固定される。
【００３１】
カバー本体５０は、例えばテント生地をウェルダー加工したものである。カバー本体５０には、複数の折り溝５１と固定用の舌片部としてののりしろ部５２と後部扉部５３とが設けられている。のりしろ部５２は、第１及び第２開閉板４５、４６の縁にマジックテープ（登録商標）で着脱自在に取り付けられる。後部扉部５３は、ポールカバー５５側ののりしろ部５７に対応してマジックテープ（登録商標）で着脱自在に貼り付けられる。これにより、ポール支持部４２を穴５９に挿通したポールカバー５５がカバー本体５０に固定される。
【００３２】
図１０に示すように、ポールカバー５５には、複数の折り溝５６と固定用の舌片部としてののりしろ部５７と蓋５８と孔５９が設けられている。蓋５８は、後部の開口６２からペットボトル６１を入れる際に開けて、ペットボトル６１を収納した後、閉じる。
【００３３】
この蓋５８と後部扉部５３には、それぞれ対応する部位（面）にマジックテープ（登録商標）が設けられており、蓋５８と後部扉部５３を閉じることで、傾斜したときに開口６２からペットボトル６１が出ないように開口６２を塞ぐことができる。孔５９は、第１及び第２開閉板４５、４６の開閉に伴いポール支持部４２が上下に動くための開口である。
【００３４】
図７、図８に示すように、ポールスタンド４０は、第１及び第２開閉板４５、４６を閉じた状態（図７の折り畳んだ状態）から開いた状態（図８の支持台として使用する状態）に変位させことで、第１及び第２開閉板４５、４６とカバー５０との間に重石として例えばペットボトル６１、３本分の収容スペース６０と、ポールスタンド４０後部にペットボトル６１を収容スペース６０に挿入および取出すための開口６２とが形成される。
【００３５】
図１および図４に示すように、のぼり旗装置３０は、ポールスタンド４０とのポール支持部４２に着脱自在に支持される枠体３１と、この枠体３１の両端にこの両端を結ぶ線分を中心に回転自在（風を受けて回転するよう）に支持される幕状部材３３とを有する。のぼり旗装置３０は、全高が例えば２４００ｍｍまたは２７００ｍｍ程度である。
【００３６】
枠体３１は、ポールスタンド４０のポール支持部４２に挿着し外からのネジ締めによりポール支持部４２に固定されるポール３１ａと、このポール３１ａに支持された湾曲フレーム３１ｂとを有する。湾曲フレーム３１ｂの両端には、係止部としての支持リング３６が設けられている。支持リング３６には、プラナスカン３８およびベルト部材３７が接続されており、これらの接続手段によって幕状部材３３が湾曲フレーム３１ｂに回転自在に支持されている。
【００３７】
幕状部材３３は、湾曲フレーム３１ｂの両端の支持リング３６に取り付けたプラナスカン３８およびベルト部材３７を介して、上下の支持リング３６間を繋ぐ軸線を中心に回転自在に支持される。ベルト部材３７には、ベルトの長さを調整し調整した位置で固定するための係止部（テンションロック）３７ａが設けられている。湾曲フレーム３１ｂ上端のプラナスカン３８およびベルト部材３７は、幕状部材３３の上部に縫い付けて取り付けてもよく、また幕状部材３３の幕に取り付け用の穴を開けておき、その穴に通すようにしてもよい。
【００３８】
幕状部材３３の主材は、少なくとも一部が枠体３１の湾曲フレーム３１ｂの湾曲に沿った外形状をなす広告を描いた幕である。この幕状部材３３には、幕の周縁に沿ってフレーム挿入用の袋部３４が設けられている。
【００３９】
袋部３４には、切れ目がいくつか設けられており、切れ目からのぼりフレーム３２を袋部３４内に挿入し、下端部で結合し、下側のベルト部材３７のベルトの長さを調整することで、幕状部材３３全体にテンションが加わり、幕面が張りつめた状態になる。のぼりフレーム３２は、複数のフレームパーツを連結したものであり、ジョイント３５により端部が結合される。
【００４０】
図５に示すように、ジョイント３５は、幕状部材３３の張り具合を調整してのぼりフレーム３２を係止するものであり、のぼりフレーム３２の端部どうしを係止しつつ、係止するのぼりフレーム３２の端部３２ａ、３２ｂの係止長を可変して幕状部材３３の張り具合を調整可能である。
【００４１】
詳細に説明すると、ジョイント３５は、連結したのぼりフレーム３２の端部どうしを係止するための係止部（ネジ孔部３５ａおよびネジ部３５ｂ）を有している。ネジ孔部３５ｂにはのぼりフレーム３２の端部３２ａが挿着される。ネジ部３５ｂは、のぼりフレーム３２の端部３２ｂのネジ締め量によって係止する長さを可変して幕状部材３３の張り具合を調整可能である。
【００４２】
以下、このプロモーションシステムの運搬、設営、撤去の手順について説明する。
このプロモーションシステムの場合、バックウォール２０、ポールスタンド４０を含むのぼり旗装置３０を、収納カウンタ１０に収納した状態で、倉庫などに保管しておく。そして、イベントへの出展が決まると、倉庫内の収納カウンタ１０をキャスタ１２で移動して運送会社に渡して収納カウンタ１０の運搬を依頼し、収納カウンタ１０だけでプロモーションシステム一式をイベント会場へ運搬する。
【００４３】
イベント会場では、運搬されてきた収納カウンタ１０をキャスタ１２で会場内のブースへ移動し、収納カウンタ１０の扉１３、１５を開放することで、収納カウンタ１０内のパーツを取り出し、各パーツを組み立てることで、バックウォール２０、のぼり旗装置３０をブース内の所定の位置に設営する。
【００４４】
（バックウォール２０の組み立て）
バックウォール２０については、まず初めに、広告幕２５と各パーツが収納されたバックとを収納カウンタ１０から取り出して床に置き、バックからメインパイプ２１、上部バー２２、下部バー２３、ウェイトベース２４などを取り出す。
【００４５】
上部バー２２および下部バー２３を引き伸ばして、広げた広告幕２５の上辺部分を上部バー２２に固定し下辺部分を下部バー２３に固定する。続いて、３本のパイプを繋げてメインパイプ２１とし、メインパイプ２１の上端を、上部バー２２のレールの中央位置に嵌合させて固定し、さらにメインパイプ２１の下端をウェイトベース２４の孔に差し込んでバナースタンドとする。これを３つの広告幕２５について行い、３つのバナースタンドを作製し、各バナースタンドの端部どうしを連結して、図１２に示すように、一面のバックウォール２０とし、これをブースのバックスペースに立てる。
【００４６】
（のぼり旗装置３０の組み立て）
この場合、まず、収納カウンタ１０から取り出したパーツのうち、図１および図７に示すように折り畳んだ状態のポールスタンド４０のカバー本体５０の左右両端を持って矢印Ｃ１，Ｃ２の方向へ開いて、図８のような支持台として設置可能な状態にする。
【００４７】
続いて、図１１に示すように、ポールスタンド４０の後方の開口６２より重石（おもし）となる３本のペットボトル６１を順に挿入する。この際、先に挿入する１本は横向き、後の２本は、縦向きで挿入する。ペットボトル６１は、１本の内容量が例えば２リットルのものであり、水などを入れたものの場合、３本で６ｋｇ程度の重石になる。
【００４８】
（幕状部材３３の組み立て）
次に、収納カウンタ１０から取り出したパーツのうち、畳まれている幕状部材３３を広げて、袋部３４にいくつか設けた亀裂の部分からのぼりフレーム３２の複数のフレームパーツを挿入し、袋部３４の内部で複数のフレームパーツの結合することで、図５に示すように、のぼりフレーム３２の２つの端部３２ａ、３２ｂを幕状部材３３の下端部から突出させる。
【００４９】
そして、ジョイント３５を幕状部材３３の下端部から突出したのぼりフレーム３２の２つの端部３２ａ、３２ｂに挿着し、幕状部材３３の幕面を形成する。ジョイント３５のネジ孔３５ａとネジ部３５ｂにそれぞれに端部３２ａ、３２ｂを挿入する量によって、幕状部材３３の幕面のテンションが変わるため、幕面がたわまない程度に調整した上でビス締めして固定する。
【００５０】
（枠体３１の組み立て）
収納カウンタ１０から取り出したパーツのうち、湾曲フレーム３１ｂを構成する３本のフレームパーツはその端部が印籠継手の形状になっており、これら３本のフレームパーツを連結して湾曲フレーム３１ｂとする。３本のフレームパーツの継手部分にはそれぞれプッシュロック機構が設けられており、フレームパーツを連結した後は抜けない。なお、連結したフレームパーツを分解する際は、プッシュロック機構のボタンを押しながらフレームパーツどうしを引き離すことで互いが分離する。
【００５１】
このように組み立てた枠体３１のポール３１ａを、ポールスタンド４０のポール支持部４２に挿着し、その挿着部分（ポール３１ａとポール支持部４２とが重なった合わせ目の部分）をネジ締めすることによりポールスタンド４０に枠体３１を固定する。なお、ポール３１ａとポール支持部４２は、印籠継手の構造になっている。
【００５２】
続いて、枠体３１の湾曲フレーム３１ｂの上部の支持リング３６に、幕状部材３３の上部のプラナスカン３８を係合させて幕状部材３３を釣り下げる。
【００５３】
次に、枠体３１に吊り下げた幕状部材３３の下部のジョイント３５にベルト部材３７を通して、枠体３１下部の支持リング３６にプラナスカン３８を引掛けて、幕状部材３３を枠体３１に回転自在に支持する。この際、ベルト部材３７のテンションロック３７ａ（図５参照）で、ベルトの長さを調整して幕状部材３３の張り具合を調整し、その位置で固定する。このようにして、図４に示すような、のぼり旗装置３０が完成する。これをブースの所定位置に配置する。
【００５４】
（収納カウンタ１０の利用）
このようにして各パーツを取り出した後の収納カウンタ１０は、扉１５を閉じることで、図３に示すように、そのまま展示ブースでの受付カウンタとして利用でき、閉じた扉１５の上にパンフレットやアンケート用紙などの配布物や筆記用具、名刺入れなどを配置する。
【００５５】
また、この収納カウンタ１０では、上部開口１０ｂまたは前部開口１０ａより棚板１８を筐体１１内に入れて横板１７に載せて収納棚とする。この例では２段の棚となっている。これらの棚に、予備のパンフレットやアンケート用紙などを入れておく。上記の組み立て作業は、１人の組み立て作業者が短時間で行うことができる。
【００５６】
イベント終了後、撤収する場合は、上記と逆の手順で、のぼり旗装置３０、バックウォール２０などの各機器を分解し、分解した全てのパーツを収納カウンタ１０に収納する。
【００５７】
そして、その収納カウンタ１０をそのまま運送会社に倉庫まで配送してもらい、収納カウンタ１０が倉庫に届いたら、それを倉庫に移動して保管する。なお、この例では、イベント会場で一人の作業者が一連の作業を行うことを想定したが、作業者が倉庫と会場間の収納カウンタ１０の搬入、搬出などを行ってもよい。
【００５８】
なお、上記で説明した組み立て手順の例は一例であり、各工程を入れ替えたり、また新たな工程を追加したり、工程を纏めたりすることで、形態をさまざまに変えることも可能である。
【００５９】
このように本発明のプロモーションシステムによれば、以下のような効果がある。
のぼり旗装置３０の支持台となるポールスタンド４０を折り畳んで持ち運べる構造とし、幕状部材３３の外形をティアドロップ形（流線形）として、湾曲した枠体３１に回転自在に支持する構造にしたことで、プロモーションイベントにおいてインパクトのある広告掲示を行うことができる。
【００６０】
また、折り畳んで持ち運べる構造にしたポールスタンド４０を含むのぼり旗装置３０や、バックウォール２０を分解したパーツを纏めて収納カウンタ１０に収納しそのまま運搬することを可能にしたことで、広告掲示や宣伝に係る機器のパーツをコンパクトに纏めて運搬、設営、撤去でき、またイベント会場では、収納カウンタ１０を受付カウンタなどとして有効に活用することができる。
【００６１】
すなわち、このプロモーションシステムでは、プロモーションイベントでの広告掲示にインパクトがあり、広告掲示や宣伝に係る機器のパーツをコンパクトに纏めて運搬、設営、撤去でき、イベント会場では運搬資材をそのまま有効利用できる。
【００６２】
本発明の実施の形態を説明したが、この実施の形態は、例として示したものであり、この他の様々な形態で実施が可能であり、発明の要旨を逸脱しない範囲で、構成要素の省略、置き換え、変更を行うことができる。
【００６３】
上記実施形態では、幕状部材３３の周縁すべてに袋部３４を設け、左右対称のティアドロップ形状（流線形）としたが、例えば図１３に示すように、上半分に袋部３４ａを設け、下半分を直線的（少しカーブしている）に細く絞った形状の幕状部材３３ａにしてもよく、また図１４に示すように、左右の片側半分にだけに袋部３４ｂを設けた形状の幕状部材３３ｂにしてもよい。
【００６４】
また、上記実施形態では、収納カウンタ１０をプロモーションシステムの各パーツを運搬するための容器として利用し、イベント会場では、受付カウンタとして利用したが、この他、収納カウンタ１０にバッテリや広告映像再生機器、配線を収納し、収納カウンタ１０の背面（前板１１ａと対向する面の外面）に係止部を設けて、その係止部に薄型の表示パネル（ＬＣＤパネルやＥＬパネルなど）を固定して、広告映像再生機器により再生される広告映像を表示パネルに表示、つまり広告掲示を電子的に行う電子広告掲示装置として利用してもよい。
【符号の説明】
【００６５】
１０…収納カウンタ、２０…バックウォール、３０…のぼり旗装置、１０ａ…前部開口、１０ｂ…上部開口、１１…筐体、１１ａ…前板、１１ｂ…背板、１２…キャスタ、１３、１５…扉、１４…取手、１７…横板、１８…棚板、２０…バックウォール、２１…メインパイプ、２２…上部バー、２３…下部バー、２４…ウェイトベース、２５…広告幕、３０…のぼり旗装置、３１…枠体、３１ａ…ポール支持部、３１ｂ…湾曲フレーム、３２…フレーム、３２ａ、３２ｂ…端部、３３、３３ａ、３３ｂ…幕状部材、３４、３４ａ、３４ｂ…袋部、３５…ジョイント、３５ａ…ネジ孔部、３５ｂ…ネジ部、３６…支持リング、３７…ベルト部材、３７ａ…テンションロック、３８…プラナスカン、４０…ポールスタンド、４１…カバー、４２…ポール支持部、４３…ベースプレート、４４…蝶番、４５、４６…開閉板、４７…ゴム座、５０…カバー本体、５０…カバー、５１…溝、５２…のりしろ部、５３…後部扉部、５５…ポールカバー、５８…蓋、５９…孔、６０…収容スペース、６１…ペットボトル、６２…開口。
【図１】
2019164237.tif 000003
【図２】
2019164237.tif 000004
【図３】
2019164237.tif 000005
【図４】
2019164237.tif 000006
【図５】
2019164237.tif 000007
【図６】
2019164237.tif 000008
【図７】
2019164237.tif 000009
【図８】
2019164237.tif 000010
【図９】
2019164237.tif 000011
【図１０】
2019164237.tif 000012
【図１１】
2019164237.tif 000013
【図１２】
2019164237.tif 000014
【図１３】
2019164237.tif 000015
【図１４】
2019164237.tif 000016
【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
ポール支持部を突設した第１の面を有する基板と、
前記基板の左右の縁に、前記ポール支持部が設けられた前記第１の面と逆の第２の面の側に開閉自在に設けられた第１及び第２開閉板と、
前記第１の面の側で前記第１及び第２開閉板を覆うように前記第１及び第２開閉板に取り付けられるカバー本体を有し、前記第１及び第２開閉板を閉じた状態から開いた状態に変位させることで、前記第１及び第２開閉板と前記カバー本体との間に重石の収容スペースと、前記重石を前記収容スペースに挿入および取出すための開口とが形成されるカバーとを備えることを特徴とするポールスタンド。
【請求項２】
請求項１記載のポールスタンドと、
前記ポールスタンドに支持される湾曲した形状の枠体と、
前記枠体の両端を結ぶ軸線を中心に回動自在に支持される幕状部材と
を具備することを特徴とする広告掲示装置。
【請求項３】
前記幕状部材は、
一部が前記枠体の湾曲に沿った外形状をなす幕であり、
前記幕の周縁に沿って設けた袋部と、
複数のフレーム材を連結し屈曲させて前記袋部に介挿したのぼりフレームと、
前記幕の張り具合を調整して前記のぼりフレームを係止するジョイントと
を具備することを特徴とする請求項２記載の広告掲示装置。
【手続補正２】
【補正対象書類名】明細書
【補正対象項目名】００１０
【補正方法】変更
【補正の内容】
【００１０】
本発明のポールスタンドは、ポール支持部を突設した第１の面を有する基板と、前記基板の左右の縁に、前記ポール支持部が設けられた前記第１の面と逆の第２の面の側に開閉自在に設けられた第１及び第２開閉板と、前記第１の面の側で前記第１及び第２開閉板を覆うように前記第１及び第２開閉板に取り付けられるカバー本体を有し、前記第１及び第２開閉板を閉じた状態から開いた状態に変位させることで、前記第１及び第２開閉板と前記カバー本体との間に重石の収容スペースと、前記重石を前記収容スペースに挿入および取出すための開口とが形成されるカバーとを具備することを特徴とする。
【手続補正３】
【補正対象書類名】明細書
【補正対象項目名】００３４
【補正方法】変更
【補正の内容】
【００３４】
図７、図８に示すように、ポールスタンド４０は、第１及び第２開閉板４５、４６を閉じた状態（図７の折り畳んだ状態）から開いた状態（図８の支持台として使用する状態）に変位させることで、第１及び第２開閉板４５、４６とカバー５０との間に重石として例えばペットボトル６１、３本分の収容スペース６０と、ポールスタンド４０後部にペットボトル６１を収容スペース６０に挿入および取出すための開口６２とが形成される。